(57)【要約】【課題】撮像装置内で迅速にユーザーの好みに合わせた画像処理を行えるようにすること。【解決手段】撮像装置は、被写体を撮像して画像信号を出力する撮像素子（１０２）と、所定の画像処理に用いるパラメータを設定するパラメータ設定部（１０７）と、前記パラメータ設定部により設定されたパラメータを用いて、前記撮像素子から出力される画像信号に前記画像処理を施す画像処理部（１０４）とを有する。【選択図】　図１
2004080099.tif 000002
【特許請求の範囲】
【請求項１】
被写体を撮像して画像信号を出力する撮像手段と、
所定の画像処理に用いるパラメータを設定するパラメータ設定手段と、
前記パラメータ設定手段により設定されたパラメータを用いて、前記撮像手段から出力される画像信号に前記画像処理を施す画像処理手段と
を有することを特徴とする撮像装置。
【請求項２】
外部情報処理装置と通信するための通信手段を更に有し、
前記画像処理手段は、前記外部情報処理装置から前記通信手段を介して供給される画像信号に対して前記画像処理を実行可能であることを特徴とする請求項１に記載の撮像装置。
【請求項３】
前記画像処理手段は、前記外部情報処理装置から供給される画像信号に順次前記画像処理を施すことを特徴とする請求項２に記載の撮像装置。
【請求項４】
記録手段を更に有し、
前記画像信号を画像処理せずにそのまま前記記録手段に記録し、前記画像処理手段は、前記記録手段から読み出された前記画像信号に前記画像処理を施すことを特徴とする請求項１または２に記載の撮像装置。
【請求項５】
前記パラメータ設定手段は、前記外部情報処理装置から供給されるパラメータを画像処理に用いるパラメータとして設定可能であることを特徴とする請求項２に記載の撮像装置。
【請求項６】
被写体を撮像して画像信号を出力する撮像手段を有する撮像装置における画像処理方法であって、
所定の画像処理に用いるパラメータを設定するパラメータ設定工程と、
前記パラメータ設定工程で設定されたパラメータを用いて、前記撮像手段から出力される画像信号に前記画像処理を施す画像処理工程と
を有することを特徴とする画像処理方法。
【請求項７】
前記撮像装置は記録手段を有し、
前記画像信号を画像処理せずにそのまま前記記録手段に記録する記録工程と、前記記録手段から記録した前記画像信号を読み出す読み出し工程とを更に有し、
前記画像処理工程では、前記記録手段から読み出した前記画像信号に前記画像処理を施すことを特徴とする請求項６に記載の画像処理方法。
【請求項８】
外部情報処理装置から画像信号を受信する通信工程と、
前記外部情報処理装置から前記通信工程で受信した画像信号に対して前記画像処理を施す外部画像処理工程と
を有することを特徴とする請求項６に記載の画像処理方法。
【請求項９】
前記撮像装置は記録手段を有し、
前記画像信号を画像処理せずにそのまま前記記録手段に記録する記録工程と、
前記記録手段から記録した前記画像信号を読み出す読み出し工程とを更に有し、
前記外部画像処理工程では、前記記録手段から読み出した前記画像信号に前記画像処理を施すことを特徴とする請求項８に記載の画像処理方法。
【請求項１０】
前記外部画像処理工程では、前記通信工程で受信した画像信号に順次前記画像処理を施すことを特徴とする請求項８に記載の画像処理方法。
【請求項１１】
外部情報処理装置から前記画像処理に用いるパラメータを受信するパラメータ通信工程を更に有し、
前記パラメータ設定工程では、前記外部情報処理装置から受信した前記パラメータを画像処理に用いるパラメータとして設定することを特徴とする請求項８乃至１０のいずれかに記載の画像処理方法。
【請求項１２】
請求項６乃至１１のいずれかに記載の画像処理方法を実現するためのプログラムコードを有することを特徴とする情報処理装置が実行可能なプログラム。
【請求項１３】
請求項１２に記載のプログラムを記憶したことを特徴とする情報処理装置が読み取り可能な記憶媒体。
【発明の詳細な説明】
【０００１】
【発明の属する技術分野】
画像処理をユーザー設定したパラメータで高速に行うことを可能とする撮像装置に関する。
【０００２】
【従来の技術】
図１０は、従来のデジタルスチルカメラやデジタルビデオカメラなどの撮像装置と、パーソナルコンピュータ（ＰＣ）を示すブロック図である。
【０００３】
従来の撮像装置５００では、一般的に、図１０に示すようにＣＣＤなどの撮像素子５０１による撮像から画像処理部５０２における画像データの補正処理を含む信号処理、および記録媒体５０３への書き込みまで、撮像装置５００ですべて行っている。しかしながらこのような撮像装置５００では、撮影後にユーザーがホワイトバランス、ガンマ等の画像処理に用いるパラメータを変更して画像データを再生することができなかった。
【０００４】
このような問題を解決するために、撮像装置５００の撮像素子５０１から得られる画像データに画像処理部５０２による画像補正などの信号処理を施さずにそのまま記録媒体５０３に記録し、ＰＣ５１０上にその画像データを転送して、ユーザーがパラメータ設定部５１２からホワイトバランス補正、ガンマ補正等の画像処理に用いるパラメータを変更して、変更したパラメータを用いて、画像処理部５１３により画像データを補正する方法が存在する。このように、撮像装置５００から入力する未処理の画像データに対して、ＰＣ５１０上で撮像装置５００内部と同じ処理をソフトウェアで実行することにより、ユーザーは好みの画質に画像データを変更することができる。
【０００５】
【発明が解決しようとする課題】
しかしながら、このようなシステムでの画像処理はＰＣの処理速度に大きく依存するため、処理速度の遅いＰＣで画像処理を行うと、非常に時間がかかるといった問題が生じていた。また、近年のデジタルカメラの高画素化に伴って画像データ量は更に増大しているため、画像処理にかかる時間はますます長くなってきている。
【０００６】
本発明は上記問題点を鑑みてなされたものであり、撮像装置内で迅速にユーザーの好みに合わせた画像処理を行えるようにすることを目的とする。
【０００７】
【課題を解決するための手段】
上記目的を達成するために、本発明の撮像装置は、被写体を撮像して画像信号を出力する撮像手段と、所定の画像処理に用いるパラメータを設定するパラメータ設定手段と、前記パラメータ設定手段により設定されたパラメータを用いて、前記撮像手段から出力される画像信号に前記画像処理を施す画像処理手段とを有する。
【０００８】
また、被写体を撮像して画像信号を出力する撮像手段を有する撮像装置における画像処理方法は、所定の画像処理に用いるパラメータを設定するパラメータ設定工程と、前記パラメータ設定工程で設定されたパラメータを用いて、前記撮像手段から出力される画像信号に前記画像処理を施す画像処理工程とを有する。
【０００９】
【発明の実施の形態】
以下、添付図面を参照して本発明の好適な実施の形態を詳細に説明する。
【００１０】
＜第１の実施形態＞
図１は本発明の第１の実施形態における撮像装置の概略構成を示すブロック図である。
【００１１】
図１において、１０１は、１枚または複数枚のレンズ及び、絞り、シャッターを含むレンズ系、１０２はＣＣＤ型やＭＯＳ型などの撮像素子、１０３はＡ／Ｄ変換部、１０４は画像処理部、１０５はフォーマット変換部、１０６は記録媒体制御部、１０７はパラメータ設定部、１０８は記録媒体である。また、１０９はモード切替スイッチであり、撮像素子１０２で撮像して得た画像信号に画像処理を施してから記録媒体１０８に記録する先処理モードと、撮像素子１０２で撮像して得た画像信号をそのまま一旦記録媒体１０８に記録し、その後、ユーザーの好みに応じて画像処理のパラメータを変更し、変更したパラメータを用いて記録媒体１０８から読み出した画像信号に画像処理を施す後処理モードとを切り換える。モード切替スイッチ１０９は、不図示の切り換えボタンなどのユーザー操作による切り換え指示に応じて、先処理モードと後処理モードとを切り換える。なお、撮像装置の上記各部の動作は、不図示のコントローラにより所定のタイミングで制御されている。
【００１２】
まず、上記構成を有する撮像装置における先処理モードでの撮影手順について詳しく説明する。
【００１３】
まず、レンズ系１１０を介して入射した被写体光学像は、撮像素子１０２の受光領域上に結像する。受光領域上に結像された光学像は光電変換されてアナログ信号となり、Ａ／Ｄ変換部１０３へと送られて、デジタル画像信号へと変換される。Ａ／Ｄ変換部１０３で変換されたデジタル画像信号は、画像処理部１０４へと送られる。画像処理部１０４では、パラメータ設定部１０７により設定されたパラメータ、または、予め撮像装置内に設定されているデフォルトのパラメータを用いてデジタル画像信号に対して、ホワイトバランス補正やγ補正を含む種々の画像信号処理を行い、処理済みの画像データを出力する。画像処理部１０４は、ハードウェアあるいは、ソフトウェアのどちらで実現可能であるが、ハードウェアで構成した方がより高速処理が可能である。
【００１４】
画像処理部１０４から出力された画像データは、更にフォーマット変換部１０５にてＪＰＥＧフォーマット、ＴＩＦＦフォーマット等へのフォーマット変換が行われ、記録媒体制御部１０６により記録媒体１０９である撮像装置内のメモリ、もしくはコンパクトフラッシュ（登録商標）等の外部メモリへと書き込まれる。
【００１５】
図２は図１の画像処理部１０４の概略機能構成を示すブロック図である。以下、図２を参照して本第１の実施形態における撮像装置における画像処理の流れを説明する。
【００１６】
図２において、２０１はホワイトバランス処理部、２０２は撮像素子１０２が例えば図３に示すような配列のカラーフィルタにより覆われている場合に、読み出された信号を補間して、図４に示すように各画素が全ての色の信号値を有するように補間する補間処理部、２０３は色相を調整するマトリクス演算処理部、２０４は色の濃さの調整を行う色差ゲイン演算処理部、２０５はコントラストを調整するガンマ処理部、２０６は色相補正演算処理部、２０７は画像のエッジ部分を抽出するエッジ強調処理部、２０８はエッジ強調の度合いを調整するエッジ合成処理部である。
【００１７】
先処理モードにおいて、図１のＡ／Ｄ変換部１０３より出力されるデジタル画像信号は、図２に示す画像処理部１０４のホワイトバランス処理部２０１へと送られ、画像中の白が白を示す信号となるように、ホワイトバラス係数および光源の色温度を求める。更に、求めたホワイトバランス係数をデジタル画像信号にかけることで、画像中の白が白を示す信号になるように処理する。ホワイトバランス処理されたデジタル画像信号は、エッジ強調処理部２０７および、補間処理部２０２へと送られる。撮像素子１０２が図３に示すような画素配列を有する単板ＣＣＤの場合、補間処理部２０２では、それぞれＲ、Ｇ１、Ｇ２、Ｂ画素それぞれから得られる信号を用いて、公知の補間演算により、図４のようなＲ、Ｇ１、Ｇ２、Ｂの面データを作成する。
【００１８】
マトリクス演算部２０３では式（１）を用いて画素毎に色変換を行う。
【００１９】
2004080099.tif 000003
【００２０】
なお、上記式（１）において、Ｇ＝（Ｇ１＋Ｇ２）／２である。
マトリクス演算処理部により処理されたデジタル画像信号は、色差ゲイン演算処理部２０４において色差信号にゲインがかけられる。この演算は式（２）により行われ、Ｒｍ、Ｇｍ、Ｂｍ信号がＹ、Ｃｒ、Ｃｂ信号へと変換され、さらに式（３）によりＣｒ、Ｃｂ信号にゲインがかけられ、更に、式（４）（式（２）の逆行列演算）により、Ｒｇ、Ｇｇ、Ｂｇ信号へと変換される。
【００２１】
2004080099.tif 000004
Ｃｒ’＝Ｇ１×Ｃｒ
Ｃｂ’＝Ｇ１×Ｃｂ　　　…（３）
【００２２】
2004080099.tif 000005
【００２３】
色差ゲイン演算処理されたデジタル画像信号はガンマ処理部２０５へと送られる。ガンマ処理部２０５では以下の式（５）〜（７）を用いてデータ変換を行う。ただし、式（５）〜（７）中のＧａｍｍａＴａｂｌｅは１次元ルックアップテーブルである。
Ｒｔ　＝　ＧａｍｍａＴａｂｌｅ［Ｒｇ］　　　…（５）
Ｇｔ　＝　ＧａｍｍａＴａｂｌｅ［Ｇｇ］　　　…（６）
Ｂｔ　＝　ＧａｍｍａＴａｂｌｅ［Ｂｇ］　　　…（７）
【００２４】
ガンマ処理部２０５でガンマ処理されたデジタル画像信号は色相補正演算処理部２０６へと送られる。色相補正演算処理部２０６での演算は式（８）を用いて行われ、Ｒｔ、Ｇｔ、Ｂｔ信号はＹ、Ｃｒ、Ｃｂ信号へと変換される。そして、さらに式（９）によりＣｒ、Ｃｂ信号が補正され、式（１０）（式（９）の逆行列演算）により、Ｒｈ、Ｇｈ、Ｂｈ信号へと変換される。
【００２５】
2004080099.tif 000006
【００２６】
2004080099.tif 000007
【００２７】
2004080099.tif 000008
【００２８】
色相補正演算処理されたデジタル画像信号はエッジ合成処理部２０８へと送られる。
【００２９】
エッジ強調処理部２０７ではホワイトバランス処理部２０１から送られてくるホワイトバランス処理されたデジタル画像信号を基にエッジ検出を行い、エッジ信号を抽出する。抽出されたエッジ信号はゲインアップにより増幅されてエッジ合成処理部２０８へと送られる。エッジ合成処理部２０８では色相補正演算処理部２０６から送られてきたＲｈ、Ｇｈ、Ｂｇ信号にエッジ信号を加える。
【００３０】
次に図５のフローチャートを参照しながら、本第１の実施形態における後処理モードにおける撮像処理の流れについて説明する。
【００３１】
まずユーザーは撮像素子１０２により撮像を行い、得られた画像信号はＡ／Ｄ変換部１０３によりデジタル画像信号へと変換される（ステップＳ１０１）。後処理モードでは先処理モードと異なり、デジタル画像信号に画像処理を施さずに、そのまま記録媒体１０８へと記録する（ステップＳ１０２）。その後、ユーザーは記録したデジタル画像信号に画像処理を施すことで自分の好みの画像が得られるように、パラメータ設定部１０７から各種処理パラメータを設定する（ステップＳ１０３）。
【００３２】
パラメータの種類としては、例えば、図２に示すように光源の調整を行うホワイトバランス処理部２０１、色の濃さの調整を行う色差ゲイン演算処理部２０４、色相を調整するマトリクス演算処理部２０３および色相補正演算処理部２０６、コントラストを調整するガンマ処理部２０５、エッジ強調の度合いを調整するエッジ合成処理部２０８用のパラメータがあり、全てを設定しても、または、これらの一部を設定しても良い。
【００３３】
パラメータ設定を終了した後、ユーザーが不図示の画像処理実行スイッチを押すと（ステップＳ１０４）、記録媒体制御部１０６により記録媒体１０８から処理対象のデジタル画像信号が読み出される（ステップＳ１０５）。読み出されたデジタル画像信号は画像処理部１０４にて設定されたパラメータを用いて画像処理され（ステップＳ１０６）、さらにフォーマット変換部１０５に送られて画像フォーマット変換され（ステップＳ１０７）、記録媒体制御部１０６にて記録媒体１０８へと記録される（ステップＳ１０８）。なお、ステップＳ１０４では、パラメータ設定終了後に自動的にステップＳ１０５の処理が始められるようにしてもよい。
【００３４】
なお、ステップＳ１０８で処理済みの画像データを記録媒体１０８に書き込む前に、撮像装置の表示部（不図示）に処理済みの画像を表示し、ユーザーが表示した画像の処理状態を確認し、処理済みの画像データを記録媒体１０８に記録するかどうかを指示するようにしてもよい。
【００３５】
また、記録媒体１０８には未処理のデジタル画像信号が記録されているので、所望の画像が得られるまでパラメータを変えて処理を行ったり、また、同じ画像信号に対する異なる効果の画像を得るなど、記録媒体１０８から読み出した画像信号に対して繰り返し画像処理を行うことが可能となる。
【００３６】
上記第１の実施形態によれば、撮像装置内のみで、迅速にユーザーの好みに合わせた画像処理を行うことができる。また、画像処理部１０４をハードで構成する場合は、さらに画像処理を高速化することが可能になる。
【００３７】
なお、本第１の実施形態においては、先処理モードと後処理モードとの２種類を選択可能な構成としたが、これに限るものではなく、後処理モードでの動作のみを行うように構成しても良い。
【００３８】
＜第２の実施形態＞
次に、本発明の第２の実施形態について説明する。
【００３９】
図６は本第２の実施形態における撮像装置の概略構成を示すブロック図である。図６において、図１と同様の構成については同じ参照番号を付し、説明を省略する。
【００４０】
上記第１の実施形態においては、撮像素子１０１により撮影して得た画像信号に画像処理を施したが、本第２の実施形態においては、外部パーソナルコンピュータ（以下、「ＰＣ」と記述する。）３１０から供給される画像信号に画像処理を施す。そのために、本第２の実施形態における撮像装置は、通信部３０９を設ける。通信部３０９は、ＰＣ３１０と本第２の実施形態の撮像装置を接続し、記録媒体制御部３０６で制御されている記録媒体１０８にあるデータをＰＣ３１０へ送信したり、また、ＰＣ１上にあるデータを受信して記録媒体１０８へと書き込みを可能とするものである。
【００４１】
図７は、図６に示す構成を有する撮像装置と、該撮像装置に処理対象の画像信号を提供するＰＣとが接続状態にある場合の、本第２の実施形態における画像処理の一連の動作を示すフローチャートである。
【００４２】
まず、ステップＳ２０１において、ユーザーはＰＣ３１０に記憶されている未処理の画像信号に画像処理を施すことで自分の好みの画像が得られるように、ＰＣ３１０上でパラメータ設定を行う。パラメータ設定を終了した後、ユーザーがＰＣ３１０上（不図示）の画像処理実行スイッチを押すと（ステップＳ２０２）、ＰＣ３１０上で設定されたパラメータは通信部３０９を通じてパラメータ設定部３０７へと転送され、画像処理に必要な各種パラメータが設定される（ステップＳ２０３）。次に、画像信号がＰＣ３１０から通信部３０９を経由して記録媒体制御部３０６により制御されている記録媒体１０８へと書き込まれる（ステップＳ２０４）。
【００４３】
画像信号の転送が終了すると記録媒体制御部３０６によりＰＣ３１０から記録媒体１０８へと書き込まれた画像信号が読み出され（ステップＳ２０５）、画像処理部１０４へと送られる。読み出された画像信号は画像処理部１０４にて設定されたパラメータを用いて画像処理され（ステップＳ２０６）、さらにフォーマット変換部１０５に送られて画像フォーマット変換され（ステップＳ２０７）、記録媒体制御部３０６にて記録媒体１０８へと記録される（ステップＳ１０８）。
【００４４】
なお、上記第１の実施形態と同様に、ステップＳ２０８で処理済みの画像データを記録媒体１０８に書き込む前に、撮像装置の表示部（不図示）に処理済みの画像を表示し、ユーザーが表示した画像の処理状態を確認し、処理済みの画像データを記録媒体１０８に記録するかどうかを指示するようにしてもよい。
【００４５】
また、ステップＳ２０８で処理済みの画像データを記録媒体１０８に書き込む代わりに、通信部３０９を介してＰＣ３１０に転送しても良い。また、処理済みの画像データを一旦記録媒体１０８に記録した後、再び画像データを読み出して、通信部３０９を介してＰＣ３１０に転送するようにしても良い。
【００４６】
更に、ステップＳ２０１及びステップＳ２０３では、ＰＣ３１０でパラメータを設定して転送したが、本発明はこれに限るものでは無く、第１の実施形態と同様に、撮像装置のパラメータ設定部３０７から各種処理パラメータを直接設定するようにしても良い。
【００４７】
上記の通り第２の実施形態によれば、ＰＣの処理速度が遅い場合であっても、撮像装置の画像処理部を利用することで、迅速にユーザーの好みに合わせた画像処理を行うことができる。また、画像処理部１０４をハードウェアで構成する場合は、さらに画像処理を高速化することが可能になる。
【００４８】
＜第３の実施形態＞
次に、本発明の第３の実施形態について説明する。
【００４９】
図Ｂは本第３の実施形態における撮像装置の概略構成を示すブロック図である。なお、図８において、図１及び図６と同様の構成には同じ参照番号を付し、説明を省略する。
【００５０】
上記第２の実施形態では、ＰＣ３１０から転送された画像信号を一旦記録媒体１０８に記憶し、それを読み出して画像処理を行う場合について説明したが、本第３の実施形態においては、ＰＣ３１０から転送された画像信号に直接画像処理を行う場合について説明する。
【００５１】
図９は、図８に示す構成を有する撮像装置と、該撮像装置に処理対象の画像信号を提供するＰＣとが接続状態にある場合の、本第２の実施形態における画像処理の一連の動作を示すフローチャートである。
【００５２】
まず、ステップＳ３０１において、ユーザーはＰＣ３１０に記憶されている未処理の画像信号に画像処理を施すことで自分の好みの画像が得られるように、ＰＣ３１０上でパラメータ設定を行う。パラメータ設定を終了した後、ユーザーがＰＣ３１０上（不図示）の画像処理実行スイッチを押すと（ステップＳ３０２）、ＰＣ３１０上で設定されたパラメータは通信部４０９を通じてパラメータ設定部３０７へと転送され、画像処理に必要な各種パラメータが設定される（ステップＳ３０３）。次に、画像信号がＰＣ３１０から通信部４０９を経由して画像処理部４０４へと転送される（ステップＳ３０４）。画像信号は順次パソコンより転送され、画像処理部４０４において、設定されたパラメータを用いて画像処理され（ステップＳ３０５）、画像処理後の画像データは再び通信部４０９を経由してＰＣ３１０へと送られる（ステップＳ３０６）。
【００５３】
なお、ステップＳ３０６で処理済みの画像データを通信部４０９を介してＰＣ３１０に転送する代わりに、記録媒体１０８に書き込むようにしても良い。更に、一旦記録媒体１０８に記録した処理済みの画像データを再び読み出して、通信部４０９を介してＰＣ３１０に転送するようにしても良い。
【００５４】
更に、ステップＳ３０１及びステップＳ３０３では、ＰＣ３１０でパラメータを設定して転送したが、本発明はこれに限るものでは無く、第１の実施形態と同様に、撮像装置のパラメータ設定部３０７から各種処理パラメータを直接設定するようにしても良い。
【００５５】
なお、本発明は、以上の各実施の形態、または、それら技術要素を必要に応じて組み合わせるようにしてもよい。
【００５６】
【他の実施形態】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。
【００５７】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００５８】
本発明を上記記憶媒体に適用する場合、その記憶媒体には、先に説明した図５、図７、または図９に示すフローチャートに対応するプログラムコードが格納されることになる。
【００５９】
【発明の効果】
本発明によれば、撮像装置内で迅速にユーザーの好みに合わせた画像処理を行うことができる。また、画像処理部をハードウェアで構成する場合は、さらに画像処理を高速化することが可能になる。
【図面の簡単な説明】
【図１】本発明の第１の実施形態における撮像装置の構成を示すブロック図である。
【図２】図１に示す画像処理部の構成例を示すブロック図である。
【図３】カラーフィルタ配列の一例を示す図である。
【図４】補間処理により得られる信号の概念を示す図である。
【図５】本発明の第１の実施形態における撮像装置の後処理モードでの動作の流れを示すフローチャートである。
【図６】本発明の第２の実施形態における撮像装置の構成を示すブロック図である。
【図７】本発明の第２の実施形態における撮像装置の動作の流れを示すフローチャートである。
【図８】本発明の第３の実施形態における撮像装置の構成を示すブロック図である。
【図９】本発明の第３の実施形態における撮像装置の動作の流れを示すフローチャートである。
【図１０】従来の撮像装置及びＰＣの画像処理に関する簡単な機能構成を示すブロック図である。
【図１】
2004080099.tif 000009
【図２】
2004080099.tif 000010
【図３】
2004080099.tif 000011
【図４】
2004080099.tif 000012
【図５】
2004080099.tif 000013
【図６】
2004080099.tif 000014
【図７】
2004080099.tif 000015
【図８】
2004080099.tif 000016
【図９】
2004080099.tif 000017
【図１０】
2004080099.tif 000018